(57)【特許請求の範囲】
【請求項１】
少なくとも映像、音声を符号化して映像データ、音声データを生成すると共に、その際、映像、音声の符号化による異常を検出してそれぞれの異常検出データを生成し、これらの映像データ、音声データ、異常検出データを多重化して伝送ストリームを生成する複数のメディア送出装置と、
それぞれの回線を介して受信した前記複数のメディア送出装置の伝送ストリームから、映像データ、音声データ、異常検出データをそれぞれ分離し、分離した前記複数のメディア送出装置間の異常検出データを比較して伝送条件の良いメディア送出装置からの映像データ、音声データを選択し、選択した映像データ、音声データを再度多重化して伝送ストリームを生成し、当該伝送ストリームを前記回線と別の回線を介してメディア受信装置に伝送する多重化装置を備えたことを特徴とするメディア多重伝送システム。
【請求項２】
映像、音声、およびイベント情報を符号化して映像データ、音声データ、およびイベント情報データを生成すると共に、その際、映像、音声、およびイベント情報の符号化による異常を検出してそれぞれの異常検出データを生成し、これらの映像データ、音声データ、イベント情報データ、および異常検出データを多重化して伝送ストリームを生成する複数のメディア送出装置と、
それぞれの回線を介して受信した前記複数のメディア送出装置の伝送ストリームから、映像データ、音声データ、イベント情報データ、および異常検出データをそれぞれ分離し、分離した前記複数のメディア送出装置間の異常検出データを比較して伝送条件の良いメディア送出装置からの映像データ、音声データ、およびイベント情報データを選択し、選択した映像データ、音声データ、およびイベント情報データを再度多重化して伝送ストリームを生成し、当該伝送ストリームを前記回線と別の回線を介してメディア受信装置に伝送する多重化装置を備えたことを特徴とするメディア多重伝送システム。
【請求項３】
多重化装置における複数のメディア送出装置間の異常検出データの比較による判定は、回線状態、機材品質、ユーザ使用状況、ユーザ希望に応じて設定される切替条件に基づいて行われるようにしたことを特徴とする請求項１または請求項２記載のメディア多重伝送システム。
【請求項４】
各回線の代わりに、ＩＰ伝送路を使用するようにしたことを特徴とする請求項１から請求項３のうちのいずれか１項記載のメディア多重伝送システム。
【請求項５】
符号化した映像データ、音声データおよびこれら映像、音声の符号化による異常検出データを多重化した伝送ストリームを、複数のメディア送出装置からそれぞれの回線を介して受信し、
受信した各伝送ストリームから、映像データ、音声データ、異常検出データをそれぞれ分離し、
分離した前記複数のメディア送出装置間の異常検出データを比較して伝送条件の良いメディア送出装置からの映像データ、音声データを選択し、
選択した映像データ、音声データを再度多重化して伝送ストリームを生成し、
当該生成した伝送ストリームを前記入力回線と別の回線を介してメディア受信装置に伝送することを特徴とする多重化装置。
【請求項６】
符号化した映像データ、音声データ、およびイベント情報データならびにこれら映像、音声、およびイベント情報の符号化による異常検出データを多重化した伝送ストリームを、複数のメディア送出装置からそれぞれの回線を介して受信し、
受信した各伝送ストリームから、映像データ、音声データ、イベント情報データ、および異常検出データをそれぞれ分離し、
分離した前記複数のメディア送出装置間の異常検出データを比較して伝送条件の良いメディア送出装置からの映像データ、音声データ、およびイベント情報データを選択し、
選択した映像データ、音声データ、およびイベント情報データを再度多重化して伝送ストリームを生成し、
当該生成した伝送ストリームを前記入力回線と別の回線を介してメディア受信装置に伝送することを特徴とする多重化装置。
【請求項７】
複数のメディア送出装置間の異常検出データの比較による判定は、回線状態、機材品質、ユーザ使用状況、ユーザ希望に応じて設定される切替条件に基づいて行われるようにしたことを特徴とする請求項５または請求項６記載の多重化装置。
【請求項８】
各回線の代わりに、ＩＰ伝送路を使用するようにしたことを特徴とする請求項5から請求項７のうちのいずれか１項記載の多重化装置。
【発明の詳細な説明】
【技術分野】
【０００１】
この発明は、符号化された映像、音声等のメディア多重データを冗長切替により伝送するメディア多重伝送システムおよび多重化装置に関するものである。
【背景技術】
【０００２】
伝送データの冗長切替機能を有する伝送システムでは、符号化等による異常発生の検出と冗長切替は1箇所の装置内で行うのが一般的である（例えば特許文献１参照）。例えば複数のカメラやマイクを離れたところに設置してそれぞれの映像、音声を遠隔地のセンタに伝送する監視システムなどでは、カメラやマイクの近くに映像、音声を多重化するためのそれぞれのメディア送出装置を設けている。
【０００３】
【特許文献１】特開２０００−７８２４１号公報
【発明の開示】
【発明が解決しようとする課題】
【０００４】
上記監視システムにおける複数のメディア送出装置では、符号化による異常発生の検出は各メディア送出装置で行うため、各メディア送出装置から出力されるメディア多重データの冗長切替を１箇所で行う場合、冗長切替のための異常検出データを各メディア送出装置から異なる距離にある冗長切替装置に伝送する必要がある。そのためには、メディア多重データとは別の信号線を用いて送らなければならなかった。しかし、このような場合、専用の信号線が何本も必要となり、かつそのための敷設工事を伴うという問題があった。さらに、その信号線によりメディア送出装置と冗長切替装置の間の距離は、冗長切替の遅延が起こらない距離としなければならないため、冗長切替装置の設置場所に制約を生じるという問題があった。また、回線状態、機材品質、ユーザ使用状況、ユーザ希望設定を考慮した冗長切替の条件の細かい指定は、冗長切替信号を生成するメディア送出装置側で設定を行う必要があり、メディア送出装置の台数分設定が必要であった。
【０００５】
この発明は、上記問題点を解決するためになされたもので、冗長切替用の専用信号線を用いず、複数のメディア送出装置からの距離にかかわらず冗長切替機能を持つ装置を自由に設定可能にするメディア多重伝送システム、および当該システムに用いる多重化装置を得ることを目的とする。
【課題を解決するための手段】
【０００６】
この発明の伝送システムは、少なくとも映像、音声を符号化して映像データ、音声データを生成すると共に、その際、映像、音声の符号化による異常を検出してそれぞれの異常検出データを生成し、これらの映像データ、音声データ、異常検出データを多重化して伝送ストリームを生成する複数のメディア送出装置と、それぞれの回線を介して受信した複数のメディア送出装置の伝送ストリームから、映像データ、音声データ、異常検出データをそれぞれ分離し、分離した複数のメディア送出装置間の異常検出データを比較して伝送条件の良いメディア送出装置からの映像データ、音声データを選択し、選択した映像データ、音声データを再度多重化して伝送ストリームを生成し、当該伝送ストリームを上記回線と別の回線を介してメディア受信装置に伝送する多重化装置を備えたものである。
【発明の効果】
【０００７】
この発明によれば、各メディア送出装置で、映像、音声等の符号化による異常を検出したデータを伝送対象である映像、音声等のデータと多重化して冗長切替機能を持つ多重化装置に送り、多重化装置で分離して冗長切替に用いるようにしたので、冗長切替専用の信号線が不要となり、かつ冗長切替の遅延が起こらないため、メディア送出装置からの距離を考慮せずに多重化装置を設置して冗長切替を行うことができる。
【発明を実施するための最良の形態】
【０００８】
実施の形態１．
図１は、この発明の実施の形態１に係るメディア多重伝送システムの全体構成を示すブロック図である。
図において、メディア多重伝送システムは、メディア送出装置７，８、多重化装置１１、メディア受信装置１３からなる主要構成を備えている。メディア送出装置７，８は同等の機能を有したものであり、メディア送出装置７に対しては、カメラなどの映像信号を出力する映像出力装置１、マイクなどの音声信号を出力する音声出力装置２、各種指示データを出力するイベント情報出力装置３などが接続されている。同様に、メディア送出装置８に対しても、映像出力装置４、音声出力装置５、イベント情報出力装置６が接続されている。多重化装置１１は、メディア送出装置７，８から離れたところに設置されており、メディア送出装置７，８との間にそれぞれ送出する多重メディア情報（以下、伝送ストリームとする）を伝送するための有線による回線Ａ，Ｂが設けられている。また、多重化装置１１とメディア受信装置１３の間には、多重化装置１１が送出する伝送ストリームを伝送するための回線Ｃが設けられている。メディア受信装置１３には、受信した伝送ストリームから分離した映像信号を表示する映像表示装置１４、音声信号を可聴音に変換する音声出力装置１５、イベント情報を受信するイベント情報受信装置１６が接続されている。
なお、このメディア多重伝送システムの構成例では、２個のメディア送出装置７，８および１個のメディア受信装置１３が示されているが、これらの数は限定されるものではない。
【０００９】
次に、上記メディア多重伝送システムの概略動作について説明する。
メディア送出装置７には、映像出力装置１からの映像データ、音声出力装置２からの音声データ、イベント情報出力装置３からのイベント情報が入力される。これらの入力されたメディア情報は、メディア送出装置７によって多重化され、所定の伝送ストリーム（例えばＴＴＣ標準のH.222TransportStream）に形成され、回線Ａを介して多重化装置１１に送られる。同様に、メディア送出装置８にも、映像出力装置４からの映像データ、音声出力装置５からの音声データ、イベント情報出力装置６からのイベント情報が入力される。これらの入力されたメディア情報はメディア送出装置８によって多重化され伝送ストリームに形成された後、回線Ｂを介して多重化装置１１に送られる。多重化装置１１では、回線Ａ，Ｂを介してそれぞれ入力されたメディア情報の伝送ストリームのいずれかを、後述する方法により選択して回線Ｃを介してメディア受信装置１３に伝送する。メディア受信装置１３では、受信したメディア多重データから映像データ、音声データ、イベント情報に分離する。分離された映像データは映像表示装置１４に与えられて可視映像として表示される。また、音声データ情報は音声再生装置１５に与えられて可聴音声として認識される。また、イベント情報はイベント情報受信装置１６に与えられて、予め決められた指示動作に用いられる。
【００１０】
図１におけるメディア送出装置は図２に示すような機能構成を有する。メディア送出装置７，８は、図２の同じ構成を備え、同様な動作を行うので、ここではメディア送出装置７の例について説明する。
メディア送出装置７は、映像符号化部２１、音声符号化部２２、イベント情報符号化部２３、映像異常検出部２４、音声異常検出部２５、イベント情報異常検出部２６、メディア多重部２７を備えている。
【００１１】
次に、メディア送出装置の動作について説明する。
映像符号化部２１では、映像出力装置１より映像信号を受信すると伝送フォーマット変換（符号化）を行い、変換された映像データをメディア多重部２７に送る。また、伝送フォーマット変換の際、データ妥当性をチェックし、異常があった場合には、映像異常検出部２４で判定結果を映像異常検出データにしてメディア多重部２７に送る。音声符号化部２２では、音声出力装置２より音声信号を受信すると伝送フォーマット変換を行い、変換された音声データをメディア多重部２７に送る。伝送フォーマット変換の際、データ妥当性をチェックし、異常があった場合には、音声異常検出部２５で判定結果を音声異常検出データにしてメディア多重部２７に送る。イベント情報符号化部２３では、イベント情報出力装置３よりイベント情報を受信すると伝送フォーマット変換を行い、変換されたイベント情報データをメディア多重部２７に送る。伝送フォーマット変換の際、データ妥当性をチェックし、異常があった場合には、イベント情報異常検出部２６で判定結果をイベント情報異常検出データにしてメディア多重部２７に送る。
【００１２】
メディア多重部２７では、各符号化部２１，２２，２３から入力される映像データ、音声データ、イベント情報データ、および各検出部２４，２５，２６から入力される映像異常検出データ、音声異常検出データ、イベント情報異常検出データを多重化して伝送ストリームを生成する。メディア送出装置７で生成されたメディア情報の伝送ストリームは回線Ａを介して多重化装置１１に伝送される。
【００１３】
図１における多重化装置は図３に示すような機能構成を有する。
多重化装置１１は、分離部３１，３２、メディア異常検出部３３，３４、切替判定部３５、切替部３６、データバッファ３７，３８、切替条件入力部３９、メディア多重部４０を備えている。
次に、多重化装置の動作について説明する。
分離部３１では、メディア送出装置７より回線Ａを介して受信したメディア情報の伝送ストリームから、映像異常検出データ、音声異常検出データ、イベント情報異常検出データを含む異常情報部分（パケット）と、映像データ、音声データ、イベント情報データを含むメディア情報部分（パケット）に分離する。分離された異常情報部分はメディア異常検出部３３に与えられ、またメディア情報部分はデータバッファ３７に与えられる。メディア異常検出部３３では、分離された異常情報部分を復号してメディア送出装置７からの映像異常検出データ、音声異常検出データ、イベント情報異常検出データを検出し、切替判定部３５に出力する。データバッファ３７では、メディア情報部分を、冗長切替を行う前に切替部３６に伝送されないよう遅延するために蓄積する。
一方、分離部３２、メディア異常検出部３４、データバッファ３８においても、同様にして、メディア送出装置８より回線Ｂを介して受信したメディア情報の伝送ストリームに対して同様な処理を行う。
【００１４】
切替判定部３５では、切替条件入力部３９により予め入力設定された切替条件に基づいて、メディア異常検出部３３で検出された映像異常検出データ、音声異常検出データ、イベント情報異常検出データとメディア異常検出部３４で検出された映像異常検出データ、音声異常検出データ、イベント情報異常検出データを比較し、メディア再生に影響が少ないメディア送出装置からのメディア情報部分を選択する制御信号を切替部３６に出力する。切替部３６では、切替判定部３５からの制御信号に基づいて、データバッファ３７または３８で蓄積しているメディア情報部分を選択する。メディア多重部４０では、切替部３６で選択されたメディア情報部分、すなわち映像データ、音声データ、イベント情報データによる伝送ストリームを生成し、回線Ｃを介してメディア受信装置１３に伝送する。すなわち、メディア送出装置７，８のメディア情報部分の伝送ストリームうちでメディア再生に影響が少ない方の伝送データが選択され、回線Ｃを介してメディア受信装置１３に伝送される。ここで、切替条件入力部３９で設定される切替条件は、回線状態や機材品質とユーザ使用状況、ユーザ希望により最適な冗長切替が行えるよう設定すればよい。
【００１５】
以上のように、この実施の形態１によれば、各メディア送出装置で、映像、音声、イベント情報の符号化による異常を検出したデータを、伝送対象である映像、音声、イベント情報のデータと多重化して冗長切替機能を持つ多重化装置に送り、多重化装置で分離して冗長切替に用いるようにしている。したがって、冗長切替専用の信号線が不要となり、かつ冗長切替の遅延が起こらないため、メディア送出装置からの距離を考慮せずに多重化装置を設置して冗長切替を行うことができる。また、回線状態、機材品質、ユーザ使用状況、ユーザ希望に合わせて多重化装置1箇所で冗長切替条件を詳細に設定変更するようにしたので、受信ユーザへの配信品質を高め、ユーザニーズに合わせて冗長切替条件を簡易にカスタマイズすることが可能となる。
なお、図１の構成における回線Ａ、回線Ｂ、回線Ｃとして、ＩＰ（Internet Protocol）伝送路を適用してもよく、その場合、メディア送出装置と多重化装置の設置場所を考慮することなしに多重化装置のみで冗長切替条件を制御できるメディア多重伝送システムを構成することが可能となる。
また、この発明は、複数回線を使用した遠隔地からの冗長切替を行う放送システムにも利用可能である。
【図面の簡単な説明】
【００１６】
【図１】この発明の実施の形態１によるメディア多重伝送システムの全体構成を示すブロック図である。
【図２】この発明の実施の形態１に係るメディア送出装置の機能構成を示すブロック図である。
【図３】この発明の実施の形態１に係る多重化装置の機能構成を示すブロック図である。
【符号の説明】
【００１７】
１，４  映像出力装置、２，５  音声出力装置、３，６  イベント情報出力装置、７，８  メディア送出装置、１１  多重化装置、１３  メディア受信装置、１４  映像表示装置、１５  音声再生装置、１６  イベント情報受信装置、２１  映像符号化部、２２  音声符号化部、２３  イベント情報符号化部、２４  映像異常検出部、２５  音声異常検出部、２６  イベント情報異常検出部、２７，４０  メディア多重部、３１，３２  分離部、３３，３４  メディア異常検出部、３５  切替判定部、３６  切替部、３７，３８  データバッファ、３９  切替条件入力部、Ａ，Ｂ，Ｃ  回線。
【図１】
0004832465.tif 000002
【図２】
0004832465.tif 000003
【図３】
0004832465.tif 000004